(57)【要約】      （修正有）【課題】通話終了時に電話機と受話器が直接的接触する事で発生する雑音を、静音対策を施すことで低下及び防止をする。【解決手段】クッション性のある樹脂等の加工性が良い素材の片面に粘着性のある両面テープなどを用いて、受話器の受話口、送話口部及び電話機本体の受話口、送話口受け部に固定し、静音対策をする。【選択図】図１
0003129355.tif 000002
【実用新案登録請求の範囲】
【請求項１】
電話機と受話器の直接的接触を防止するため、受話器の受話口、送話口部及び、電話機本体の受話口、送話口受け部に機器接触防止用緩和材をもうける。
【考案の詳細な説明】
【技術分野】
【０００１】    本発明は、通話終了時に発生する雑音防止のため、緩和材を用いた電話機に関するものである。
【背景技術】
【０００２】    家庭・会社などの固定電話使用の際、通話終了時に本人側が相手側より早く受話器を電話機本体の受け部に置いた場合、受話器と電話機本体が直接接触することで、雑音が発生してしまう。
【考案の開示】
【考案が解決しようとする課題】
【０００３】    上述のように発生する雑音で、通話時に相手・本人側が不可解な思いをしていた。
本発明は、静音対策を施し、雑音防止を目的とするものである。
【課題を解決するための手段】
【０００４】    クッション性のある樹脂等の加工性が良い適宣素材を粘着性のある両面テープなど適宣素材を用いて受話器の受話口、送話口部及び電話機本体の受話口、送話口受け部に固定し、静音対策をすることにより雑音を低下及び防止の効果を発揮する。
【考案の効果】
【０００５】    上述したように本発明の電話機用雑音防止マットは、受話器を電話機本体に置く際に発生する雑音を、低下及び防止する効果を発揮するものである。
【考案の実施するための最良の形態】
【０００６】    以下、添付図面（図１、図２）に従って、実施の形態を説明する。
通話終了時に受話器が電話機本体の受け部に置かれる事により、図２の７と１０（１０ａ）・８と１１（１１ａ）が接触する。（図２の受話器９は、図２の電話機６と比べ電話機図の割合より大きく作図してあります。）
【０００７】    その際に雑音が発生するのを低下及び防止するため、クッション性のある樹脂等の加工性が良い適宣素材を加工した、図１の１・２・３・４・５を用いる。
【０００８】    図１の１・２・３・４・５は、片面に粘着性がある両面テープなど、適宣素材を用いて、図２の７・８・１０・１０ａ・１１・１１ａに固定できる様に加工した物である。
図１の１・２・３・４・５は、ハサミなどの刃物で容易に加工できる適宣素材である。
【０００９】    メーカー、機種によって電話機、受話器（図２の７・８・１０・１０ａ・１１・１１ａ  ）のサイズが違うため、図１の１・２・３・４・５を適合サイズに合わせ、はさみ等でカットし適合サイズに調整する。
【実用例】
【００１０】    図２の７受話口、８送話口受け部には、図１の１をハサミなどで適当なサイズに加工し取り付ける。
【００１１】  図２の１０受話口、１１送話口部には、図１の２・３・４・５（４は角用）のどれか適当な物をハサミなどで適当なサイズに加工し取り付ける。必要であれば、１０ａと１１ａにも同様に取り付ける。
【図面の簡単な説明】
【００１２】
【図１】電話機用雑音防止マット形状例
【図２】電話機及び受話器
【符号の説明】
【００１３】１〜５・電話機用雑音防止マット形状例
６・電話機
７・電話機本体通話終了スイッチ及び受話口受け部
８・送話口受け部
９・受話器
１０・受話口
１０ａ・受話口周辺
１１・送話口
１１ａ・送話口周辺
【図１】
0003129355.tif 000003
【図２】
0003129355.tif 000004
【手続補正書】
【提出日】平成17年9月1日(2005.9.1)
【手続補正１】
【補正対象書類名】実用新案登録請求の範囲
【補正対象項目名】全文
【補正方法】変更
【補正の内容】
【実用新案登録請求の範囲】
【請求項１】
通話終了時、電話機と受話器の直接的接触により発せられる雑音を低下及び防止するため、現在所有の電話機器の改造などせずに機器接触防止用緩和材を受話器の受話口、送話口部及び、電話機本体の受話口、送話口受け部に簡単に装着できる組み合わせに係る電話機用簡易装着雑音防止マット
【手続補正２】
【補正対象書類名】明細書
【補正対象項目名】全文
【補正方法】変更
【補正の内容】
【考案の詳細な説明】
【技術分野】
【０００１】    本発明は、通話終了時に発生する雑音防止のため、緩和材を簡単に装着（組み合わせ）できる電話機用簡易装着雑音防止マットに関するものである。
【背景技術】
【０００２】    家庭・会社などの固定電話使用の際、通話終了時に本人側が相手側より早く受話器を電話機本体の受け部に置いた場合、受話器と電話機本体が直接接触することで、雑音が発生してしまう。
【考案の開示】
【考案が解決しようとする課題】
【０００３】    上述のように発生する雑音で、通話時に相手・本人側が不可解な思いをしていた。
本発明は、緩和材を簡単に装着（組み合わせ）するだけで静音対策を施し、雑音防止を目的とするものである。
【課題を解決するための手段】
【０００４】    クッション性のある樹脂等の加工性が良い適宣素材を粘着性のある両面テープなど適宣素材を用いて簡単に受話器の受話口、送話口部及び電話機本体の受話口、送話口受け部に固定し、静音対策をすることにより雑音を低下及び防止の効果を発揮する。
【考案の効果】
【０００５】    上述したように現在所有の電話機器の改造などせずに、本発明の電話機用雑音防止マットを簡単に取り付けるだけで、受話器を電話機本体に置く際に発生する雑音を、低下及び防止する効果を発揮するものである。
【考案の実施するための最良の形態】
【０００６】    以下、添付図面（図１、図２）に従って、実施の形態を説明する。
通話終了時に受話器が電話機本体の受け部に置かれる事により、図２の７と１０（１０ａ）・８と１１（１１ａ）が接触する。（図２の受話器９は、図２の電話機６と比べ電話機図の割合より大きく作図してあります。）
【０００７】    その際に雑音が発生するのを低下及び防北するため、クッション性のある樹脂等の加工性が良い適宣素材を加工した、図１の１・２・３・４・５を用いる。（図の１・２・３・４・５は、形状例を書いたもので、このように装着しやすい構造のものを用いる）
【０００８】    図１の１・２・３・４・５は、片面に粘着性がある両面テープなど、適宣素材を用いて、簡単に図２の７・８・１０・１０ａ・１１・１１ａに固定できる様に加工した物である。
図１の１・２・３・４・５は、ハサミなどの刃物で容易に加工できる適宣素材である。
【０００９】    メーカー、機種によって電話機、受話器（図２の７・８・１０・１０ａ・１１・１１ａ）のサイズが違うため、図１の１・２・３・４・５を適合サイズに合わせ、はさみ等でカットし適合サイズに調整する。
【実用例】
【００１０】    図２の７受話口、８送話口受け部には、図１の１をハサミなどで適当なサイズに加工し取り付ける。
【００１１】  図２の１０受話口、１１送話口部には、図１の２・３・４・５（４は角用）のどれか適当な物をハサミなどで適当なサイズに加工し取り付ける。必要に応じて、１０ａと１１ａにも同様に取り付ける。
【図面の簡単な説明】
【００１２】
【図１】電話機用簡易装着雑音防止マット形状例
【図２】電話機及び受話器
【符号の説明】
【００１３】１〜５・電話機用簡易装着雑音防止マット形状例
６・電話機
７・電話機本体通話終了スイッチ及び受話口受け部
８・送話口受け部
９・受話器
１０・受話口
１０ａ・受話口周辺
１１・送話口
１１ａ・送話口周辺
【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
現在所有の電話機器の改造などせずに緩衝材（図１）を、はさみ等でカットし適合サイズに調整し、受話器の受話口、送話口部及び、電話機本体の受話口、送話口受け部などの機器同士の接触部（図２）貼り付けることで装着できる電話機用簡易装着雑音防止マット
【手続補正２】
【補正対象書類名】明細書
【補正対象項目名】全文
【補正方法】変更
【補正の内容】
【考案の詳細な説明】
【技術分野】
【０００１】    本発明は、通話終了時に発生する雑音防止のため、緩衝材を簡単に貼り付けることで装着できる電話機用簡易装着雑音防止マットに関するものである。
【背景技術】
【０００２】    家庭・会社などの固定電話使用の際、通話終了時に本人側が相手側より早く受話器を電話機本体の受け部に置いた場合、受話器と電話機本体が直接接触することで、雑音が発生してしまう。
【考案の開示】
【考案が解決しようとする課題】
【０００３】    上述のように発生する雑音で、通話時に相手・本人側が不可解な思いをしていた。
本発明は、緩衝材を簡単に貼り付け装着するだけで静音対策を施し、雑音防止を目的とするものである。
【課題を解決するための手段】
【０００４】    クッション性のある樹脂等の加工性が良い適宣素材（緩衝材）を粘着性のある両面テープなど適宣素材を用いて簡単に受話器の受話口、送話口部及び電話機本体の受話口、送話口受け部に貼り付け装着し、静音対策をすることにより雑音を低下及び防止の効果を発揮する。
【考案の効果】
【０００５】    上述したように現在所有の電話機器の改造などせずに、本発明の電話機用雑音防止マットを簡単に取り付けるだけで、受話器を電話機本体に置く際に発生する雑音を、低下及び防止する効果を発揮するものである。
【考案の実施するための最良の形態】
【０００６】    以下、添付図面（図１、図２）に従って、実施の形態を説明する。
通話終了時に受話器が電話機本体の受け部に置かれる事により、図２の７と１０（１０ａ）・８と１１（１１ａ）が接触する。（図２の受話器９は、図２の電話機６と比べ電話機図の割合より大きく作図してあります。）
【０００７】    その際に雑音が発生するのを低下及び防止するため、クッション性のある樹脂等の加工性が良い適宣素材を加工した、図１の１・２・３・４・５を用いる。（図の１・２・３・４・５は、形状例を書いたもので、このように貼り付け装着しやすい構造のものを用いる）
【０００８】    図１の１・２・３・４・５は、片面に粘着性がある両面テープなど、適宣素材を用いて、簡単に図２の７・８・１０・１０ａ・１１・１１ａに固定できる様に加工した物である。
図１の１・２・３・４・５は、ハサミなどの刃物で容易に加工できる適宣素材である。
【０００９】    メーカー、機種によって電話機、受話器（図２の７・８・１０・１０ａ・１１・１１ａ）のサイズが違うため、図１の１・２・３・４・５を適合サイズに合わせ、はさみ等でカットし適合サイズに調整する。
【実用例】
【００１０】    図２の７受話口、８送話口受け部には、図１の１をハサミなどで適当なサイズに加工し取り付ける。
【００１１】  図２の１０受話口、１１送話口部には、図１の２・３・４・５（４は角用）のどれか適当な物をハサミなどで適当なサイズに加工し取り付ける。必要に応じて、１０ａと１１ａにも同様に取り付ける。
【図面の簡単な説明】
【００１２】
【図１】電話機用簡易装着雑音防止マット形状例
【図２】電話機及び受話器
【符号の説明】
【００１３】１〜５・電話機用簡易装着雑音防止マット形状例
６・電話機
７・電話機本体通話終了スイッチ及び受話口受け部
８・送話口受け部
９・受話器
１０・受話口
１０ａ・受話口周辺
１１・送話口
１１ａ・送話口周辺
【手続補正３】
【補正対象書類名】図面
【補正対象項目名】図１
【補正方法】変更
【補正の内容】
【図１】
0003129355.tif 000005
【手続補正書】
【提出日】平成18年3月23日(2006.3.23)
【手続補正１】
【補正対象書類名】実用新案登録請求の範囲
【補正対象項目名】全文
【補正方法】変更
【補正の内容】
【実用新案登録請求の範囲】
【請求項１】
現在所有の電話機器の改造などせずに緩衝材を、はさみ等でカットし適合サイズに調整し、受話器の受話口、送話口部及び、電話機本体の受話口、送話口受け部などの機器同士の接触部を貼り付けることで装着できる電話機用簡易装着雑音防止マット
【手続補正書】
【提出日】平成18年7月7日(2006.7.7)
【手続補正１】
【補正対象書類名】実用新案登録請求の範囲
【補正対象項目名】全文
【補正方法】変更
【補正の内容】
【実用新案登録請求の範囲】
【請求項１】
現在所有の電話機器（図２の６と９）の形状を維持したまま（改造などの必要性がない）で、はさみ等でカットでき、適合サイズに調整可能な、クッション性のある樹脂等の加工性が良い適宣素材（緩衝材）を受話器（図２の９）の受話口（図２の１０）、受話口周辺（図２の１０ａ）、送話口（図２の１１），送話口周辺（図２の１１ａ）部及び、電話機本体（図２の６）の、送話口受け部（図２の７）、送話口受け部（図２の８）の機器同士の接触部に粘着性のある両面テープなどの適宣素材を用いて貼り付けることで装着できる電話機用簡易装着雑音防止マット
【手続補正書】
【提出日】平成18年7月7日(2006.7.7)
【手続補正１】
【補正対象書類名】手続補正書
【補正対象項目名】手続補正３
【補正方法】削除
【補正の内容】
【手続補正書】
【提出日】平成18年10月31日(2006.10.31)
【手続補正１】
【補正対象書類名】実用新案登録請求の範囲
【補正対象項目名】全文
【補正方法】変更
【補正の内容】
【実用新案登録請求の範囲】
【請求項１】
はさみ等でカットでき、適合サイズに調整可能な、クッション性のある樹脂等の加工性が良い素材の片面に粘着性のある両面テープを貼り付けることでなる電話機用簡易装着雑音防止マット